(57)【要約】    【課題】  装置全体の小型化，装置保管スペースの縮小化及びスクリーンの長寿命化を図ることができるとともに、スクリーンの収納時間を短縮することができる大型スクリーンの収納装置を提供する。    【解決手段】  スクリーンＳを折り畳んで収納するための収納箱２０を備えた収納装置１０であって、収納箱内に挿抜自在に収納され、ヒンジ３２，３３を介して連結する複数の棚部材３１Ａ，３１Ｂを有する折り畳み・展開可能なスクリーン収納具３０と、このスクリーン収納具３０内に着脱自在に配設され、スクリーンＳを保持するための複数の仕切部材４０とをさらに備え、これら各仕切部材４０は、棚部材３１Ａ，３１Ｂのスクリーン載置面のうち互いに隣接する２つのスクリーン載置面３１ａ，３１ａ間にスクリーン収納具３０の折り畳み状態において挿抜自在に介装される仕切部材であることを特徴とする大型スクリーンの収納装置。【選択図】  図５
2005055820.tif 000002
【特許請求の範囲】
【請求項１】
スクリーンを折り畳んで収納するための収納箱を備えた収納装置であって、
前記収納箱内に挿抜自在に収納され、ヒンジを介して連結する複数の棚部材を有する折り畳み・展開可能なスクリーン収納具をさらに備えたことを特徴とする大型スクリーンの収納装置。
【請求項２】
請求項１に記載の大型スクリーンの収納装置において、
前記スクリーン収納具内に着脱自在に配設され、スクリーンを保持するための複数の仕切部材をさらに備え、
これら各仕切部材は、前記棚部材のスクリーン載置面のうち互いに隣接する２つのスクリーン載置面間に前記スクリーン収納具の折り畳み状態において挿抜自在に介装される仕切部材であることを特徴とする大型スクリーンの収納装置。
【請求項３】
請求項１又は２に記載の大型スクリーンの収納装置において、
前記スクリーン収納具は、設置面上を転動可能な複数のローラを有することを特徴とする大型スクリーンの収納装置。
【請求項４】
請求項１に記載の大型スクリーンの収納装置を用いて前記収納箱内にスクリーンを折り畳んで収納する方法であって、
予め展開された前記スクリーン収納具の棚部材上にスクリーンを載置し、
次いで、このスクリーンを前記スクリーン収納具と共に折り畳んで収納物組立体を形成してから、
この収納物組立体を前記収納箱内に収納することを特徴とする大型スクリーンの収納方法。
【請求項５】
請求項２に記載の大型スクリーンの収納装置を用いて前記収納箱内にスクリーンを折り畳んで収納する方法であって、
予め展開された前記スクリーン収納具の棚部材上にスクリーンを載置し、
次いで、このスクリーンを前記スクリーン収納具と共に折り畳み、
しかる後、前記棚部材のスクリーン載置面のうち互いに隣接する２つのスクリーン載置面間に前記仕切部材を介装して収納物組立体を形成してから、
この収納物組立体を前記収納箱内に収納することを特徴とする大型スクリーンの収納方法。
【請求項６】
請求項４又は５に記載の大型スクリーンの収納方法において、
前記棚部材上にスクリーンを載置するに際し、前記スクリーン収納具の折り畳みによってスクリーンに生じる折線と略直角な方向に沿う折線を介してスクリーンを予め折り畳むことを特徴とする大型スクリーンの収納方法。
【請求項７】
請求項４〜６のいずれかに記載の大型スクリーンの収納方法において、
スクリーン縁部を貫通する多数の係止孔にスクリーン取付用紐を挿通させて組み込んだ状態でスクリ−ンを収納することを特徴とする大型スクリーンの収納方法。
【請求項８】
請求項１〜３のいずれかに記載の大型スクリーンの収納装置を用いてスクリーンを運搬する方法であって、
前記収納箱内にスクリーンを収納して運搬することを特徴とする大型スクリーンの運搬方法。
【請求項９】
運搬可能な設置装置であって、
天井に昇降用の吊持部材を介して着脱自在に連結され、かつスクリーンの両側方に上下方向に沿って配置され、スクリーンの両側縁を取り付けるための２組のスクリーン側縁取付部材と、
これら各組のスクリーン側縁取付部材のうち最下方のスクリーン側縁取付部材に緊縛され、スクリーンに張力を付与するためのスクリーンウエイトと、を備えたことを特徴とする大型スクリーンの設置装置。
【請求項１０】
請求項９に記載の大型スクリーンの設置装置において、
スクリーンの下方端縁を覆うためのカーテンを保持する保持リンクを有するリンク機構をさらに備えたことを特徴とする大型スクリーンの設置装置。
【請求項１１】
請求項９又は１０に記載の大型スクリーンの設置装置を用いて、前記両組のスクリーン側縁取付部材にスクリーンを取り付けて天井と床との間に設置する方法であって、
スクリーンを取り付けるにあたり、
前記各スクリーン側縁取付部材を所定の部位に連結し、これら各スクリーン側縁取付部材を連結する毎にスクリーンの側縁一部を取り付けることを特徴とする大型スクリーンの設置方法。
【請求項１２】
請求項９又は１０に記載の大型スクリーンの設置装置を用いて、予めスクリーン縁部にスクリーン取付用紐が挿通して組み込まれたスクリーンを前記両組のスクリーン側縁取付部材に取り付けて天井と床との間に設置する方法であって、
前記吊持部材を床近傍に下降させ、この下降位置で前記吊持部材に連結部材を介して前記スクリーン取付用紐のうちスクリーン上方端縁のスクリーン取付用紐を係止する工程と、
この工程後に前記吊持部材を上昇させ、この上昇位置で前記吊持部材の両側部に前記スクリーン側縁取付部材のうち上方のスクリーン側縁取付部材をそれぞれ連結してから、これら左右両スクリーン側縁取付部材に前記スクリーン側縁取付用紐のうちスクリーン側縁上方端部のスクリーン取付用紐を係止する工程と、
この工程後に前記吊持部材をさらに上昇させ、この上昇位置で前記上方の左右両スクリーン側縁取付部材に前記スクリーン側縁取付部材のうち下方のスクリーン側縁取付部材をそれぞれ連結してから、これら左右両スクリーン側縁取付部材に前記スクリーン側縁取付用紐のうちスクリーン側縁下方端部のスクリーン取付用紐を係止する工程と、
この工程をスクリーン側縁長に応じて繰り返し実施した後に前記スクリーン取付用紐のうちスクリーン下方端縁のスクリーン取付用紐に連結部材を介してスクリーンウエイトを懸吊してから、このスクリーンウエイトの両側部を前記下方の左右両スクリーン側縁取付部材にそれぞれ緊縛する工程と、を含むことを特徴とする大型スクリーンの設置方法。
【請求項１３】
請求項１２に記載の大型スクリーンの設置方法において、
スクリーンの取付後に前記リンク機構を駆動してカーテンの保持位置を調整する工程をさらに含むことを特徴とする大型スクリーンの設置方法。
【請求項１４】
シート状部材を折り畳んで収納するための収納箱を備えた収納装置であって、
前記収納箱内に挿抜自在に収納され、ヒンジを介して連結する複数の棚部材を有する折り畳み・展開可能なシート状部材収納具をさらに備えたことを特徴とするシート状部材の収納装置。
【請求項１５】
請求項１４に記載のシート状部材の収納装置を用いて前記収納箱内にシート状部材を折り畳んで収納する方法であって、
予め展開された前記シート状部材収納具の棚部材上にシート状部材を載置し、
次いで、このシート状部材を前記シート状部材収納具と共に折り畳んで収納物組立体を形成してから、
この収納物組立体を前記収納箱内に収納することを特徴とするシート状部材の収納方法。
【請求項１６】
請求項１４に記載のシート状部材の収納装置を用いてシート状部材を運搬する方法であって、
前記収納箱内にシート状部材を収納して運搬することを特徴とするシート状部材の運搬方法。
【発明の詳細な説明】
【技術分野】
【０００１】
本発明は、大型スクリーンの収納装置，収納方法及び運搬方法，大型スクリーンの設置装置及び設置方法，並びにシート状部材の収納装置，収納方法及び運搬方法に関する。
【背景技術】
【０００２】
図２０は、従来の大型スクリーンの収納装置を示す斜視図である（例えば特許文献１参照。）。この大型スクリーンの収納装置について図２０を用いて説明すると、符号１に示す収納装置は、収納箱２及び補強部材３を備えている。
【０００３】
収納箱２は、天井板４，底面板５，前面板６，後面板７及び側面板８を有している。
天井板４及び底面板５は、上下方向に所定の間隔をもって互いに対向し、略同一の縦横寸法をもつ矩形板によって形成されている。天井板４は、底面板５の上方に着脱自在に配置されている。底面板５の上面両側部には、スクリーンの側方へのずれを防止するための側方ずれ防止部材５Ａ，５Ｂが取り付けられている。底面板５の下面には、長手方向に並列する複数の脚部５Ｃが取り付けられている。
【０００４】
前面板６は、天井板４及び底面板５の横寸法と略同一の横寸法を、また側面板８の縦寸法と略同一の縦寸法をそれぞれもつ矩形板によって形成されている。そして、底面板５の前方端縁に蝶番９を介して回動自在に連結されている。前面板６の内面上方端部には前方スクリーンガイド１０が取り付けられている。前面板６の内面両側部には、スクリーンの側方へのずれを防止するための側方ずれ防止部材６Ａが取り付けられている。
【０００５】
後面板７は、前面板６の縦横寸法と同一の縦横寸法をもつ矩形板からなり、底面板５の後方端縁に蝶番（図示せず）を介して回動自在に連結されている。後面板７の内面上方端部には後方スクリーンガイド１１が取り付けられている。後面板７の内面両側部にはスクリーンの側方へのずれを防止するための側方ずれ防止部材７Ａが取り付けられている。
【０００６】
側面板８は、左右方向に所定の間隔をもって対向し、かつ同一の縦横寸法をもつ２つの矩形板によって形成されている。そして、側方ずれ防止部材５Ａ，５Ｂ，６Ａ，７Ａの外側に位置し、底面板５及び前後面板６，７の両側部に着脱可能に連結されている。
【０００７】
一方、補強部材３は、全体がスクリーンを保持可能な弾性部材からなり、収納箱２内に配置されている。これにより、スクリーンが収納箱２内に例えば４００〜５００ｍｍ程度の曲率半径をもってＵ字状に折曲した状態で収納される。
【０００８】
このように構成された収納装置１を用いてスクリーンを収納箱２内に収納するには、次に示すようにして行う。
まず、予め展開・分解状態にされた収納箱２の底面板５と前後面板６，７上に補強部材３を介してスクリーンを載置する。この場合、スクリーン及び補強部材３の載置は、スクリーンガイド１０，１１及び側方ずれ防止部材５Ａ，５Ｂ，６Ａ，７Ａによって位置決めして行われる。
【０００９】
次いで、前後面板６，７を底面板５に対して９０°起立させて固定する。この場合、前後面板６，７が起立すると、補強部材３及びスクリーンが底面板５及び前後面板６，７に所定の曲率をもって保持される。
しかる後、底面板５及び前後面板６，７に側面板８を固定してから、前後面板６，７及び側面板８に天井板４を固定する
【特許文献１】特開２０００−２７５７３５号公報（図１）
【発明の開示】
【発明が解決しようとする課題】
【００１０】
ところで、上記した大型スクリーンの収納装置は、背面投射型の大型スクリーンを収納するための収納装置であるため、もともとスクリーンを折り畳んで収納することを前提として設計されていない。このため、この収納装置を、例えば、映画の試写会，コンサート等の各種イベントを行うための多目的使用ホール内に設置する大型スクリーン（例えば９ｍ×２２ｍの縦横寸法をもつスクリーン）を収納するための収納装置として用いようとすると、収納装置全体が大型化するばかりか、広い収納装置保管スペースを確保する必要があるという問題がある。
【００１１】
そこで、スクリーンを例えばジグザグ状に折り畳んだり、ロール状に巻き取ったりして、収納箱内に収納することが考えられる。
しかしながら、前者の場合には、スクリーンに折り皺が発生し易くなり、スクリーンの長寿命化を図ることができないという問題がある。また、スクリーンに折り皺が発生しないようにするために、折り畳みに細心の注意を払ってスクリーンを折り畳むことになり、スクリーンの収納に多大の時間を要するという問題もある。
また、後者の場合には、通常スクリーンはその長辺方向に沿って巻き取ることになるが、生成したロールの長さはスクリーンの短辺方向の長さに等しく、これをさらに短くすることは困難であり、収納装置全体が大型化するばかりか、広い収納装置保管スペースを確保する必要があるという問題がある。
【００１２】
本発明は、このような問題を解決するためになされたもので、装置全体の小型化，装置保管スペースの縮小化及びスクリーンの長寿命化を図ることができるとともに、スクリーンの収納時間を短縮することができる大型スクリーンの収納装置，収納方法及びこの収納装置を用いたスクリーンの運搬方法を提供することを目的とする。
また、スクリーン設置時間を短縮することができるとともに、スクリーン設置時の安全性を確保することができ、かつ設置スペースの縮小化を図ることができる大型スクリーンの設置装置及び設置方法を提供することを目的とする。
さらに、装置全体の小型化，装置保管スペースの縮小化及びシート状部材の長寿命化を図ることができるとともに、シート状部材の収納時間を短縮することができるシート状部材の収納装置，収納方法及びこの収納装置を用いたシート状部材の運搬方法を提供することを目的とする。
【課題を解決するための手段】
【００１３】
（１）本発明の大型スクリーンの収納装置は、スクリーンを折り畳んで収納するための収納箱を備えた収納装置であって、前記収納箱内に挿抜自在に収納され、ヒンジを介して連結する複数の棚部材を有する折り畳み・展開可能なスクリーン収納具をさらに備えたことを特徴とする。
【００１４】
このため、本発明の大型スクリーンの収納装置によれば、収納箱に対するスクリーンの収納が、スクリーン収納具を展開して棚部材上にスクリーンを載置し、次いでこのスクリーンをスクリーン収納具と共に折り畳んで収納物組立体を形成してから、この収納物組立体を収納箱内に挿入することにより行われる。
したがって、収納箱の折り畳み方向における外形寸法を短縮することができ、装置全体の小型化及び装置保管スペースの縮小化を図ることができる。また、後述するが、ロール状に巻き取る場合と異なり、予め一方向に折り畳んだ状態のスクリーンをスクリーン収納具と共に折り畳んで収納物組立体を形成することにより、装置全体のさらなる小型化及び装置保管スペースのさらなる縮小化を図ることができるようになる。
また、スクリーンが棚部材上に載置して折り畳まれて、棚部材上に載置・保持した状態で収納箱内に収納されるため、スクリーンに折り皺が発生し難くなり、スクリーンの長寿命化を図ることができる。
さらに、スクリーン収納時にスクリーンに折り皺が発生しないようにするために、従来のようには細心の注意を払う必要がなく、スクリーンの収納時間を短縮することもできる。
なお、スクリーン収納具の棚部材上にスクリーンを載置する際には、棚部材上に予め発泡スチロール等の緩衝材を載置した後に、スクリーンを載置するようにすることがさらに好ましい。これにより、スクリーンに折り皺がさらに発生し難くなり、スクリーンのさらなる長寿命化を図ることができる。
【００１５】
（２）上記（１）に記載の大型スクリーンの収納装置においては、前記スクリーン収納具内に着脱自在に配設され、スクリーンを保持するための複数の仕切部材をさらに備えるとともに、
これら各仕切部材は、前記棚部材のスクリーン載置面のうち互いに隣接する２つのスクリーン載置面間に前記スクリーン収納具の折り畳み状態において挿抜自在に介装される仕切部材であることが好ましい。
このように構成することにより、スクリーンは棚部材及び仕切部材上に載置・保持した状態で収納箱内に収納されるため、スクリーンにさらに折り皺が発生し難くなり、スクリーンのさらなる長寿命化を図ることができる。
【００１６】
（３）上記（１）又は（２）に記載の大型スクリーンの収納装置においては、前記スクリーン収納具は、設置面上を転動可能な複数のローラを有することが好ましい。
このように構成することにより、スクリーン収納具の折り畳み・展開及び移動が円滑に行われる。
【００１７】
（４）本発明の大型スクリーンの収納方法は、上記（１）に記載の大型スクリーンの収納装置を用いて前記収納箱内にスクリーンを折り畳んで収納する方法であって、予め展開された前記スクリーン収納具の棚部材上にスクリーンを載置し、次いで、このスクリーンを前記スクリーン収納具と共に折り畳んで収納物組立体を形成してから、この収納物組立体を前記収納箱内に収納することを特徴とする。
【００１８】
このため、本発明の大型スクリーンの収納方法によれば、スクリーン収納具を展開して棚部材上にスクリーンを載置し、次いでこのスクリーンをスクリーン収納具と共に折り畳んで収納物組立体を形成してから、この収納物組立体を収納箱内に挿入することにより、収納箱内にスクリーンを収納することができる。
したがって、収納箱の折り畳み方向における外形寸法を短縮することができ、装置全体の小型化及び装置保管スペースの縮小化を図ることができる大型スクリーンの収納方法が得られる。また、後述するが、ロール状に巻き取る場合と異なり、予め一方向に折り畳んだ状態のスクリーンをスクリーン収納具と共に折り畳んで収納物組立体を形成することにより、装置全体のさらなる小型化及び装置保管スペースのさらなる縮小化を図ることができる大型スクリーンの収納方法が得られる。
また、スクリーンが棚部材上に載置して折り畳まれて、棚部材上に載置・保持した状態で収納箱内に収納されるため、スクリーンに折り皺が発生し難くなり、スクリーンの長寿命化を図ることができる大型スクリーンの収納方法が得られる。
さらに、スクリーン収納時にスクリーンに折り皺が発生しないようにするために、従来のようには細心の注意を払う必要がなく、スクリーンの収納時間を短縮することもできる大型スクリーンの収納方法が得られる。
【００１９】
（５）本発明の大型スクリーンの収納方法は、上記（２）に記載の大型スクリーンの収納装置を用いて前記収納箱内にスクリーンを折り畳んで収納する方法であって、スクリーンを収納するにあたり、予め展開された前記スクリーン収納具の棚部材上にスクリーンを載置し、次いで、このスクリーンを前記スクリーン収納具と共に折り畳み、しかる後、前記棚部材のスクリーン載置面のうち互いに隣接する２つのスクリーン載置面間に前記仕切部材を介装して収納物組立体を形成してから、この収納物組立体を前記収納箱内に収納することを特徴とする。
【００２０】
このため、本発明の大型スクリーンの収納方法によれば、上記（４）に記載の大型スクリーンの収納方法の場合と比較して、スクリーンは棚部材及び仕切部材上に載置・保持した状態で収納箱内に収納されるため、スクリーンにさらに折り皺が発生し難くなり、スクリーンのさらなる長寿命化を図ることができる大型スクリーンの収納方法が得られる。
【００２１】
（６）上記（４）又は（５）に記載の大型スクリーンの収納方法においては、前記棚部材上にスクリーンを載置するに際し、前記スクリーン収納具の折り畳みによってスクリーンに生じる折線と略直角な方向に沿う折線を介してスクリーンを予め折り畳むことが好ましい。
このような方法とすることにより、スクリーン折り畳み時の寸法（収納寸法）がさらに小さくなる。これにより、収納箱の外形寸法を短縮することができる。
【００２２】
（７）上記（４）〜（６）のいずれかに記載の大型スクリーンの収納方法においては、スクリーン縁部を貫通する多数の係止孔にスクリーン取付用紐を挿通させて組み込んだ状態でスクリ−ンを収納することが好ましい。
このような方法とすることにより、スクリーンを展開して天井と床との間の取付位置に設置する場合、スクリーンの取付作業が円滑に行われるとともに、その取付作業時間が短縮される。
なお、本発明の大型スクリーンの収納方法は、上記した本発明の大型スクリーンの収納装置を用いてスクリーンを収納することにより、スクリーンに折り皺が発生し難くくなっているため、スクリーンにスクリーン取付用紐を組み込んだ状態で何ら問題なくスクリーンを収納することができる。
【００２３】
（８）本発明の大型スクリーンの運搬方法は、上記（１）〜（３）のいずれかに記載の大型スクリーンの収納装置を用いてスクリーンを運搬する方法であって、前記収納箱内にスクリーンを収納して運搬することを特徴とする。
このような方法とすることにより、スクリーンを収納箱内に収納した状態でスクリーンの運搬が行われる。
したがって、収納箱の外形寸法を短縮することができ、スクリーン運搬時における作業の簡素化及び装置保管スペースの縮小化を図ることができる大型スクリーンの運搬方法が得られる。
また、スクリーンを棚部材（及び仕切部材）上に載置・保持した状態で運搬するため、スクリーンに折り皺が発生し難くなり、スクリーンの長寿命化を図ることができる大型スクリーンの運搬方法が得られる。
【００２４】
（９）本発明の大型スクリーンの設置装置は、運搬可能な設置装置であって、天井に昇降用の吊持部材を介して着脱自在に連結され、かつスクリーンの両側方に上下方向に沿って配置され、スクリーンの両側縁を取り付けるための２組のスクリーン側縁取付部材と、これら各組のスクリーン側縁取付部材のうち最下方のスクリーン側縁取付部材に緊縛され、スクリーンに張力を付与するためのスクリーンウエイトと、を備えたことを特徴とする。
【００２５】
このため、本発明の大型スクリーンの設置装置によれば、スクリーン側縁取付部材に対するスクリーンの取り付けが、各スクリーン側縁取付部材を所定の部位に連結し、これら各スクリーン側縁取付部材を連結する毎にスクリーンの側縁一部を取り付けることにより行われる。
したがって、スクリーン設置時にスクリーン側縁に沿って各スクリーン側縁取付部材を連結することができるため、スクリーン取付後におけるスクリーン側縁取付部材の吊り上げ作業が不要になり、スクリーン設置時間を短縮することができるとともに、スクリーン設置時の安全性を確保することができる。
また、スクリーン側縁取付部材を上下に連結することができるため、水平面内で広い設置スペースを必要とせず、設置スペースの縮小化を図ることもできる。
【００２６】
（１０）上記（９）に記載の大型スクリーンの設置装置において、スクリーンの下方端縁を覆うためのカーテンを保持する保持リンクを有するリンク機構をさらに備えることが好ましい。
このように構成することにより、カーテンの保持位置調整がリンク機構を駆動することにより行われる。これにより、カーテンの高さ位置調整を簡単に行うことができる。
【００２７】
（１１）本発明の大型スクリーンの設置方法は、上記（９）又は（１０）に記載の大型スクリーンの設置装置を用いて、前記両組のスクリーン側縁取付部材にスクリーンを取り付けて天井と床との間に設置する方法であって、スクリーンを取り付けるにあたり、前記各スクリーン側縁取付部材を所定の部位に連結し、これら各スクリーン側縁取付部材を連結する毎にスクリーンの側縁一部を取り付けることを特徴とする。
【００２８】
このため、本発明の大型スクリーンの設置方法によれば、各スクリーン側縁取付部材を所定の部位に連結し、これら各スクリーン側縁取付部材を連結する毎にスクリーンの側縁一部を取り付けることにより、スクリーン側縁取付部材にスクリーンを取り付けることができる。
したがって、スクリーン設置時にスクリーン側縁に沿って各スクリーン側縁取付部材を連結することができるため、スクリーン取付後におけるスクリーン側縁取付部材の吊り上げ作業が不要になり、スクリーン設置時間を短縮することができるとともに、スクリーン設置時の安全性を確保することができる大型スクリーンの設置方法が得られる。
また、スクリーン側縁取付部材を上下に連結することができるため、水平面内で広い設置スペースを必要とせず、設置スペースの縮小化を図ることもできる大型スクリーンの設置方法が得られる。
【００２９】
（１２）本発明の大型スクリーンの設置方法は、上記（９）又は（１０）に記載の大型スクリーンの設置装置を用いて、予めスクリーン縁部にスクリーン取付用紐が挿通して組み込まれたスクリーンを前記両組のスクリーン側縁取付部材に取り付けて天井と床との間に設置する方法であって、前記吊持部材を床近傍に下降させ、この下降位置で前記吊持部材に連結部材を介して前記スクリーン取付用紐のうちスクリーン上方端縁のスクリーン取付用紐を係止する工程と、この工程後に前記吊持部材を上昇させ、この上昇位置で前記吊持部材の両側部に前記スクリーン側縁取付部材のうち上方のスクリーン側縁取付部材をそれぞれ連結してから、これら左右両スクリーン側縁取付部材に前記スクリーン側縁取付用紐のうちスクリーン側縁上方端部のスクリーン取付用紐を係止する工程と、この工程後に前記吊持部材をさらに上昇させ、この上昇位置で前記上方の左右両スクリーン側縁取付部材に前記スクリーン側縁取付部材のうち下方のスクリーン側縁取付部材をそれぞれ連結してから、これら左右両スクリーン側縁取付部材に前記スクリーン側縁取付用紐のうちスクリーン側縁下方端部のスクリーン取付用紐を係止する工程と、この工程をスクリーン側縁長に応じて繰り返し実施した後に前記スクリーン取付用紐のうちスクリーン下方端縁のスクリーン取付用紐に連結部材を介してスクリーンウエイトを懸吊してから、このスクリーンウエイトの両側部を前記下方の左右両スクリーン側縁取付部材にそれぞれ緊縛する工程と、を含むことを特徴とする。
【００３０】
このため、本発明の大型スクリーンの設置方法によれば、スクリーン端縁長に応じて各スクリーン側縁取付部材を所定の部位に連結し、これら各スクリーン側縁取付部材を連結する毎にスクリーンの側縁一部を取り付けることにより、スクリーン側縁取付部材にスクリーンを取り付けることができる。
したがって、スクリーン設置時にスクリーン側縁に沿って各スクリーン側縁取付部材を連結することができるため、スクリーン取付後におけるスクリーン側縁取付部材の吊り上げ作業が不要になり、スクリーン設置時間を短縮することができるとともに、スクリーン設置時の安全性を確保することができる大型スクリーンの設置方法が得られる。
また、スクリーン側縁取付部材を上下に連結することができるため、水平面内で広い設置スペースを必要とせず、設置スペースの縮小化を図ることもできる大型スクリーンの設置方法が得られる。
【００３１】
（１３）本発明の大型スクリーンの設置方法は、上記（１２）に記載の大型スクリーンの設置方法において、スクリーンの取付後に前記リンク機構を駆動してカーテンの保持位置を調整する工程をさらに含むことを特徴とする。
このような方法とすることにより、リンク機構を駆動してカーテンの保持位置が調整される。これにより、カーテンの高さ位置調整を簡単に行うことができる。
【００３２】
（１４）本発明のシート状部材の収納装置は、シート状部材を折り畳んで収納するための収納箱を備えた収納装置であって、前記収納箱内に挿抜自在に収納され、ヒンジを介して連結する複数の棚部材を有する折り畳み・展開可能なシート状部材収納具をさらに備えたことを特徴とする。
【００３３】
このため、本発明のシート状部材の収納装置によれば、収納箱に対するシート状部材の収納が、シート状部材収納具を展開して棚部材上にシート状部材を載置し、次いでこのシート状部材をシート状部材収納具と共に折り畳んで収納物組立体を形成してから、この収納物組立体を収納箱内に挿入することにより行われる。
したがって、収納箱の折り畳み方向における外形寸法を短縮することができ、装置全体の小型化及び装置保管スペースの縮小化を図ることができる。また、ロール状に巻き取る場合と異なり、予め一方向に折り畳んだ状態のシート状部材をシート状部材収納具と共に折り畳んで収納物組立体を形成することにより、装置全体のさらなる小型化及び装置保管スペースのさらなる縮小化を図ることができるようになる。
また、シート状部材が棚部材上に載置して折り畳まれて、棚部材上に載置・保持した状態で収納箱内に収納されるため、シート状部材に折り皺が発生し難くなり、シート状部材の長寿命化を図ることができる。
さらに、シート状部材収納時にシート状部材に折り皺が発生しないようにするために、従来のようには細心の注意を払う必要がなく、シート状部材の収納時間を短縮することもできる。
【００３４】
（１５）本発明のシート状部材の収納方法は、上記（１４）に記載のシート状部材の収納装置を用いて前記収納箱内にシート状部材を折り畳んで収納する方法であって、予め展開された前記シート状部材収納具の棚部材上にシート状部材を載置し、次いで、このシート状部材を前記シート状部材収納具と共に折り畳んで収納物組立体を形成してから、この収納物組立体を前記収納箱内に収納することを特徴とする。
【００３５】
このため、本発明のシート状部材の収納方法によれば、シート状部材収納具を展開して棚部材上にシート状部材を載置し、次いでこのシート状部材をシート状態部材収納具と共に折り畳んで収納物組立体を形成してから、この収納物組立体を収納箱内に挿入することにより、収納箱内にシート状部材を収納することができる。
したがって、収納箱の折り畳み方向における外形寸法を短縮することができ、装置全体の小型化及び装置保管スペースの縮小化を図ることができるシート状部材の収納方法が得られる。また、ロール状に巻き取る場合と異なり、予め一方向に折り畳んだ状態のシート状部材をシート状部材収納具と共に折り畳んで収納物組立体を形成することにより、装置全体のさらなる小型化及び装置保管スペースのさらなる縮小化を図ることができるようになるシート状部材の収納方法が得られる。
また、シート状部材が棚部材上に載置して折り畳まれるとともに、棚部材及び仕切部材上に載置・保持した状態で収納箱内に収納されるため、シート状部材に折り皺が発生し難くなり、シート状部材の長寿命化を図ることができるシート状部材の収納方法が得られる。
さらに、シート状部材収納時にシート状部材に折り皺が発生しないようにするために、従来のようには細心の注意を払う必要がなく、シート状部材の収納時間を短縮することもできるシート状部材の収納方法が得られる。
【００３６】
（１６）本発明のシート状部材の運搬方法は、上記（１４）に記載のシート状部材の収納装置を用いてシート状部材を運搬する方法であって、前記収納箱内にシート状部材を収納して運搬することを特徴とする。
【００３７】
このため、本発明のシート状部材の運搬方法によれば、シート状部材を収納箱内に収納した状態でシート状部材の運搬が行われる。
したがって、収納箱の外形寸法を短縮することができ、スクリーン運搬時における作業の簡素化及び装置保管スペースの縮小化を図ることができるシート状部材の運搬方法が得られる。
また、シート状部材を棚部材及び仕切部材上に載置・保持した状態で運搬するため、シート状部材に折り皺が発生し難くなり、シート状部材の長寿命化を図ることができるシート状部材の運搬方法が得られる。
【発明を実施するための最良の形態】
【００３８】
以下、本発明が適用された大型スクリーンの収納装置，収納方法及び運搬方法，大型スクリーンの設置装置及び設置方法について、図に示す実施の形態に基づいて説明する。
まず、本発明の大型スクリーンの収納装置について、図１〜図６を用いて説明する。図１は、本発明の実施形態に係る大型スクリーンの収納装置のスクリーン収納状態を示す斜視図である。図２は、図1の要部を示す斜視図である。図３は、本発明の実施形態に係る大型スクリーンの収納装置の収納物組立体を示す斜視図である。図４は、図３の要部を示す斜視図である。図５は、本発明の実施形態に係る大型スクリーンの収納装置のスクリーン収納具を説明するために示す側面図である。図６は、本発明の実施形態に係る大型スクリーンの収納装置のスクリーン収納具の棚部材を示す斜視図である。
図１〜図４において、符号１０で示す大型スクリーンの収納装置は、収納箱２０，スクリーン収納具３０及び仕切部材４０を備えている。
【００３９】
収納箱２０は、筐体２１及び蓋体２２を有している。筐体２１は、スクリーンＳをスクリーン収納具３０と共に収納可能な内部空間２１Ａを有し、一方（前方）に開口する矩形箱によって形成されている。筐体２１の底面部には、床面上を転動し、かつ方向転換可能な車輪２３が取り付けられている。蓋体２２は、筐体２１の開口部に着脱自在に配設され、全体が矩形板によって形成されている。
【００４０】
スクリーン収納具３０は、図３〜図５に示すように複数組の収納具エレメント３１，３１，３１，・・・からなり、収納箱２０内に挿抜自在に収納されている。各組の収納具エレメント３１，３１，３１，・・・は、前後方向に並列（隣接）する一対の棚部材３１Ａ，３１Ｂを有し、ヒンジ３２を介して連結されている。両棚部材３１Ａ，３１Ｂは、ヒンジ３３を介して連結されている。これにより、収納具３０を（棚部材３１Ａ，３１Ｂ上にスクリーンＳが載置されている場合には、スクリーンＳと共に）ジグザグ状に折り畳み、かつこの折り畳み状態を解除してＩ字状に展開し得るように構成されている。
【００４１】
各対の棚部材３１Ａ，３１Ｂは、略同一に構成されているため、その一方（前方）の棚部材３１Ａのみについて説明すると、図６に示すように、棚部材３１Ａは、互いに対向する２つの角棒３１Ａ1，３１Ａ2及びこれら両角棒３１Ａ1，３１Ａ2を連結する載置板３１Ａ3からなる断面略コ字状の保持体によって形成されている。そして、収納箱２０内に対するスクリーンＳの収納状態においてスクリーンＳの一方側面の一部を保持（載置）するように構成されている。棚部材３１Ａの平面サイズは、縦寸法及び横寸法をそれぞれ９００ｍｍと６００ｍｍとする寸法に設定されている。両角棒３１Ａ1，３１Ａ2の内側角部には、一方側端面近傍から他方側端面に至る部位にわたって切り欠き３４，３４が設けられている。棚部材３１Ａの切り欠き３４，３４と棚部材３１Ｂの切り欠き３４，３４とは、スクリーン収納具３０の折り畳み状態においてそれぞれ合致することにより、図４に示すように仕切部材４０を挿抜可能な凹部３５を形成するように構成されている。載置板３１Ａ3の角棒側には、緩衝部材３６（図４に図示）を介してスクリーンＳを載置可能なスクリーン載置面３１ａが設けられている。
【００４２】
棚部材３１Ａには、図２及び図５に示すように、ローラ３７がブラケット３８を介して取り付けられている。ローラ３７は、棚部材３１Ａにおける仕切部材挿抜側端部と反対側の端部に配置され、設置面Ｅ上を転動するように構成されている。これにより、スクリーン収納具３０の折り畳み・展開時及び移動時にローラ３７が設置面Ｅ上を転動し、その折り畳み・展開動作及び移動動作が円滑に行われる。ブラケット３８は、載置板３１Ａ3のスクリーン載置面３１ａに対し傾斜して配置されている。これにより、スクリーン収納具３０の折り畳み・展開開始から折り畳み・展開終了までの一連動作が円滑に行われる。
【００４３】
仕切部材４０は、複数の矩形板からなり、図４及び図５に示すように棚部材３１Ａのスクリーン載置面３１ａと棚部材３１Ｂのスクリーン載置面３１ａとの間の凹部３５内にスクリーン収納具３０の折り畳み状態において挿抜・着脱自在に介装されている。そして、収納箱２０内に対するスクリーンＳの収納状態においてスクリーンＳの他方側面の一部を保持（載置）するように構成されている。
【００４４】
スクリーンＳには、図３に示すように、スクリーン上方・下方端縁及びスクリーン側縁を貫通する多数の係止孔Ｓ1にスクリーン取付用紐ｓを挿通させて組み込まれている。また、スクリーンＳには、スクリーン表裏面に開口する多数の音波通過孔（図示せず）が設けられている。音波通過孔の合計開口面積は、スクリーンＳの表面積に対して略３０％の割合に設定されている。
【００４５】
なお、図３において、符号４１は折り畳み状態のスクリーン収納具３０を緊縛するための収納具組立用紐を、また符号４２は収納箱２０内に収納される収納物組立体をそれぞれ示す。
【００４６】
次に、本実施形態に係る大型スクリーンの収納方法について、図７〜図１０を用いて説明する。図７は、本発明の実施形態に係る大型スクリーンの収納方法のスクリーン載置工程を説明するために示す斜視図である。図８は、本発明の実施形態に係る大型スクリーンの収納方法の収納物組立体の形成工程を説明するために示す図である。図８（ａ）は側面図であり、同図（ｂ）及び（ｃ）は斜視図である。図９（ａ）及び（ｂ）は、本発明の実施形態に係る大型スクリーンの収納方法のスクリーン保持工程を説明するために示す斜視図である。図１０は、本発明の実施形態に係る大型スクリーンの収納方法を説明するために示すフローチャートである。
本実施形態における大型スクリーンの収納方法は、「スクリーンの載置」と「収納物組立体の形成」及び「スクリーンの保持」との各工程が順次実施されるため、これら各工程を順次説明する。
【００４７】
「スクリーンの載置」
まず、図７に示すように、スクリーン収納具３０をＩ字状に展開する。この場合、スクリーン収納具３０が展開されると、各収納具エレメント３１，３１，３１，・・・における棚部材３１Ａ，３１Ｂがそのスクリーン載置板３１ａを上方にして設置面Ｅ（図５に図示）上に配置される。
次いで、スクリーン収納具３０のスクリーン載置面３１ａ上に緩衝部材３６を載置する。
【００４８】
しかる後、スクリーン収納具３０のスクリーン載置板３１ａ上に緩衝部材３６を介してスクリーンＳを載置する（図１０のステップＳ１）。この場合、スクリーンＳは、棚部材３１Ａ，３１Ｂの幅寸法に合わせ、次工程におけるスクリーン収納具３０の折り畳みによって生じる折線と略直角な方向に沿う折線を介して予め折り畳まれている。これにより、スクリーン折り畳み時の寸法（収納寸法）が小さくなり、収納箱２０の外形寸法を短縮することができる。また、スクリーン縁部を貫通する多数の係止孔Ｓ1にスクリーン取付用紐ｓを挿通させて組み込まれている。これにより、スクリーンＳを展開して天井と床との間の取付位置に設置する場合、スクリーンＳの取付作業が円滑に行われるとともに、その取付作業時間が短縮される。
【００４９】
「収納物組立体の形成」
まず、図８（ａ）に示すように、スクリーン収納具３０をスクリーンＳ及び緩衝部材３６（図７に図示）と共に設置面Ｅ上で折り畳む。この場合、スクリーンＳ等の折り畳みは、棚部材３１Ａ，３１Ｂが起立するようにして（ローラ３７が下側になるようにして）各収納具エレメント３１，３１，３１，・・・を矢印Ｍで示す方向に移動（先端の棚部材３１Ｂは起立固定）させることにより行う。
【００５０】
次いで、図８（ｂ）に示すように、スクリーン収納具３０を紐４１によって緊縛する。
しかる後、図８（ｃ）に示すように、スクリーン収納具３０（棚部材３１Ａのスクリーン載置面３１ａと棚部材３１Ｂのスクリーン載置面３１ａとの間の凹部３５）内に仕切部材４０を挿入（装着）して収納物組立体４２を形成する（図１０のステップＳ２）。
【００５１】
「スクリーンの保持」
まず、図９（ａ）に示すように、収納箱２０の筐体２１内に収納物組立体４２を収納する。この場合、収納物組立体４２が横倒し状態で筐体２１内に収納される。
次に、図９（ｂ）に示すように収納物組立体４２を収納したまま筐体２１を起立させ、筐体２１の開口部に蓋体２２を装着する。この場合、筐体２１の起立後に蓋体２２が装着されると、スクリーンＳが収納箱２０内において収納具エレメント３１，３１，３１，・・・の棚部材３１Ａ，３１Ｂ及び仕切部材４０（図５に図示）上に保持される（図１０のステップＳ３）。
このようにして、収納箱２０外のスクリーンＳを収納箱２０内に確実に収納することができる。
【００５２】
したがって、本実施形態においては、収納箱２０に対するスクリーンＳの収納が、スクリーン収納具３０を展開して棚部材３１Ａ，３１Ｂ上にスクリーンＳを載置し、このスクリーンＳをスクリーン収納具３０と共に折り畳み、しかる後スクリーン収納具３０内に仕切部材４０を装着して収納物組立体４２を形成してから、この収納物組立体４２を収納箱２０内に挿入することにより行われる。
これにより、収納箱２０の外形寸法を短縮することができ、装置全体の小型化及び装置保管スペースの縮小化を図ることができる。
【００５３】
また、本実施形態においては、スクリーンＳが棚部材３１Ａ，３１Ｂ上に載置して折り畳まれるとともに、棚部材４１Ａ，４１Ｂ及び仕切部材４０上に載置・保持した状態で収納箱２０内に収納されるため、スクリーンＳに折り皺が発生し難くなり、スクリーンＳの長寿命化を図ることができる。
さらに、本実施形態においては、スクリーン収納時にスクリーンＳに折り皺が発生しないようにするために、従来のようには細心の注意を払う必要がなく、スクリーンＳの収納時間を短縮することもできる。
【００５４】
なお、収納箱２０内のスクリーンＳを使用可能な状態にするには、収納箱２０内の収納物組立体４２を収納箱２０外に取り出し、次いでスクリーン収納具３０内の仕切部材４０を引き抜いた後、紐４１による緊縛を解除してスクリーンＳをスクリーン収納具３０と共に展開することにより行う。
【００５５】
また、本実施形態に係る大型スクリーンの収納装置１０を用いて、この収納装置１０の収納箱２０内にスクリーンＳを収納して運搬することができる。
これにより、収納箱２０の外形寸法を短縮することができ、スクリーン運搬時における作業の簡素化及び装置保管スペースの縮小化を図ることができる大型スクリーンの運搬方法が得られる。
【００５６】
さらに、スクリーンＳを棚部材３１Ａ，３１Ｂ及び仕切部材４０上に載置・保持した状態で収納箱２０内に運搬するため、スクリーンＳに折り皺が発生し難くなり、スクリーンＳの長寿命化を図ることができる大型スクリーンの運搬方法が得られる。
【００５７】
次に、本発明の大型スクリーンの設置装置について、図１１を用いて説明する。図１１は、本発明の実施形態に係る大型スクリーンの設置装置の使用状態を示す正面図である。図１１において、図３，図４及び図５と同一の部材については同一の符号を付し、詳細な説明は省略する。
図１１において、符号５１で示す大型スクリーンの設置装置は、カーテンレール６０，スクリーン側縁取付部材７０，スクリーンウエイト８０及びリンク機構９０を備えている。そして、スクリーンＳの設置（使用）時に吊持部材（バトン）１００を用いて天井Ｔと床（ステージ）Ｅとの間に設置され（組み立てられ）、非使用時にその組み立てを解除して各構成部品を運搬（移動）し得るように構成されている。
【００５８】
バトン１００は、天井Ｔに昇降自在に吊持されている。そして、上桟１００Ａ及び下桟１００Ｂを有し、全体が横長の平トラスによって形成されている。バトン１００の上桟１００Ａには、スクリーンＳの上方端縁を覆う上方カーテン（黒幕）１１０Ａが取り付けられている。下桟１００Ｂには、スクリーン上方端縁のスクリーン取付用紐ｓがＳ字状の連結部材１２０を介して係止されている。これにより、バトン１００に対してスクリーンＳの上方端縁が取り付けられる。
【００５９】
カーテンレール６０は、スクリーンＳの各側縁を覆う２つの側方カーテン（黒幕）１１０Ｂ，１１０Ｃをそれぞれ案内する左右一対のガイド部材からなり、上桟１００Ａの両側部に着脱自在に固定されている。そして、バトン１００に対して側方カーテン１１０Ｂ，１１０Ｃを移動自在に取り付けるように構成されている。
【００６０】
スクリーン側縁取付部材７０は、上方トラス７０Ａ及び下方トラス７０Ｂを有する左右２組の平トラスからなり、下桟１００Ｂの両側部にそれぞれクランパ（図示せず）によって着脱自在に連結され、かつスクリーンＳの両側方に上下方向に沿って配置されている。そして、スクリーンＳの各側縁をスクリーン取付用紐ｓによって取り付けるように構成されている。
【００６１】
上方トラス７０Ａは、縦寸法及び横寸法をそれぞれ６００ｍｍｍと５００ｍｍとする左右一対の平トラスからなり、バトン１００（下桟）に垂設されている。上方トラス７０Ａの片側部（スクリーン側）には、上下方向に並列し、かつスクリーン側縁上方端部のスクリーン取付用紐ｓを係止する複数の係止凸部７０ａが配設されている。これにより、上方トラス７０Ａに対してスクリーンＳの側縁上方端部が取り付けられる。
【００６２】
下方トラス７０Ｂは、縦寸法及び横寸法をそれぞれ１７００ｍｍと５００ｍｍとする左右複数対の平トラスからなり、両上方トラス７０Ａの下方端部にボルト・ナット（図示せず）によって連結されている。下方トラス７０Ｂの片側部（スクリーン側）には、上下方向に並列し、かつスクリーン側縁上方端部のスクリーン取付用紐ｓを係止する複数の係止凸部７０ｂが配設されている。これにより、下方トラス７０Ｂに対してスクリーンＳの側縁下方端部が取り付けられる。
【００６３】
スクリーンウエイト８０は、左右方向に並列し、かつスクリーンＳに重力方向の張力を付与する複数のパイプによって形成されている。そして、スクリーン下方端縁のスクリーン取付用紐ｓにＳ字状の連結部材１２０を介して懸吊され、かつ左右両下方トラス７０Ｂにスクリーン取付用紐ｓによって緊縛されている。これにより、スクリーン側縁取付部材７０（下方トラス）に対してスクリーンＳの下方端縁が取り付けられる。
【００６４】
リンク機構９０は、左右方向に並列する複数の４節回転機構（リンク機構）９０Ａ,９０Ａ，９０Ａ，・・・からなり、スクリーンＳの前方に配置され、かつ床Ｅ上に設置されている。各リンク機構９０Ａ，９０Ａ，９０Ａ，・・・は、基部リンク９１，揺動リンク９２，連結リンク９３及びストッパリンク９４を有している。そして、駆動時にストッパリンク９４の連結を解除して揺動リンク９２を揺動させ、この揺動動作に伴い連結リンク９３を基部リンク９１に対して平行移動するように構成されている。これにより、下方カーテン１１０Ｃの保持位置調整がリンク機構９０を駆動することにより行われる。このため、下方カーテン１１０Ｃの高さ位置調整を簡単に行うことができる。
【００６５】
各リンク機構９０Ａ，９０Ａ，９０Ａ，・・・の基部リンク９１は、連結器９５，９５，９５，・・・を介して連結されている。揺動リンク９２は、互いに平行な一対の高さ調整用リンク（揺動リンク）９２Ａ，９２Ｂからなり、各基部リンク９１の両端部に連結器９５，９５，９５，・・・を介して連結されている。
【００６６】
連結リンク９３は、スクリーンＳの下方端縁を覆うための下方カーテン（黒幕）１１０Ｄを保持する保持リンクからなり、連結器９６，９６，９６，・・・を介して連結されている。また、揺動リンク９２Ａ，９２Ｂの上方端部に連結器９６，９６，９６，・・・を介して連結されている。
ストッパリンク９４は、リンク機構９０Ａ，９０Ａ，９０Ａ，・・・の各リンクを固定するための傾斜リンクからなり、基部リンク９１と揺動リンク９２Ａとの間に連結器９７，９８を介して連結されている。
【００６７】
次に、本実施形態に係る大型スクリーンの設置方法について、図１２〜図１９を用いて説明する。図１２は、本発明の実施形態に係る大型スクリーンの設置方法の上方カーテンの取付工程を説明するために示す正面図である。図１３は、本発明の実施形態に係る大型スクリーンの設置方法の左右側方カーテンの取付工程を説明するために示す正面図である。図１４は、本発明の実施形態に係る大型スクリンの設置方法のスクリーン上方端縁の取付工程を説明するために示す正面図である。図１５は、本発明の実施形態に係る大型スクリンの設置方法のスクリーン側縁上方端部の取付工程を説明するために示す正面図である。図１６は、本発明の実施形態に係る大型スクリーンの設置方法のスクリーン側縁下方端部の取付工程を説明するために示す正面図である。図１７は、本発明の実施形態に係る大型スクリーンの設置方法のスクリーン下方端縁の取付工程を説明するために示す正面図である。図１８は、本発明の実施形態に係る大型スクリーンの設置方法の下方カーテンの取付工程を説明するために示す正面図である。図１９は、本発明の実施形態に係る大型スクリーンの設置方法を説明するために示すフローチャートである。
【００６８】
本実施形態における大型スクリーンの設置方法は、「上方カーテンの取り付け」と「側方カーテンの取り付け」と「スクリーン上方端縁の取り付け」と「スクリーン側縁上方端部の取り付け」と「スクリーン側縁下方端部の取り付け」と「スクリーン下方端縁の取り付け」及び「下方カーテンの取り付け」の各工程が順次実施されるため、これら各工程を順次説明する。
また、本設置方法は、前述した大型スクリーンの設置装置５１を用いて実施されるため、図１２〜図１８において図１１と同一の部材については同一の符号を付して各工程を説明する。
なお、スクリーンＳには、予めスクリーン縁部（上方・下方端縁及び左右両側縁）にスクリーン取付用紐ｓが挿通して組み込まれているものとする。
【００６９】
「上方カーテンの取り付け」
図１２に示すように、バトン１００を床Ｅの近傍に下降させ、この下降位置でバトン１００における上桟１００Ａに上方カーテン１１０Ａを取り付ける（図１９のステップＳ１）。この場合、上方カーテン１１０Ａは、バトン１００の前方に配置される。
【００７０】
「側方カーテンの取り付け」
まず、図１３に示すように、バトン１００における上桟１００Ａの両側部にカーテンレール６０，６０をそれぞれ固定する。この場合、カーテンレール６０，６０の固定は上方カーテン１１０Ａの後方で行われる。
次に、左右両カーテンレール６０，６０に側方カーテン１１０Ｂ，１１０Ｃをそれぞれ移動自在に取り付ける（図１９のステップＳ２）。
【００７１】
「スクリーン上方端縁の取り付け」
まず、図１４に示すように、バトン１００に連結部材１２０を介してスクリーン取付用紐ｓのうちスクリーン上方端縁のスクリーン取付用紐ｓ1を係止する。この場合、スクリーン取付用紐ｓ1が係止されると、両側方カーテン１１０Ｂ，１１０Ｃの後方でバトン１００に対してスクリーン上方端縁が取り付けられる（図１９のステップＳ３）。
次に、バトン１００の両側部にボルト・ナット（図示せず）によって左右各組のスクリーン側縁取付部材７０のうち上方トラス７０Ａ，７０Ａをそれぞれ連結する（図１９のステップＳ４）。
なお、スクリーン上方端縁の取り付けを上方トラス７０Ａの連結後にしても差し支えない。
【００７２】
「スクリーン側縁上方端部の取り付け」
図１５に示すように、上方カーテン１１０Ａ及び側方カーテン１１０Ｂの取付高さ位置からバトン１００を所定の高さ位置に上昇させ、この上昇位置で左右の上方トラス７０Ａの係止凸部７０ａ，７０ａ，７０ａ，・・・にスクリーン取付用紐ｓのうちスクリーン側縁上方端部のスクリーン取付用紐ｓ2を係止する。この場合、スクリーン取付用紐ｓ2が係止されると、両上方トラス７０Ａ，７０Ａに対して左右のスクリーン側縁上方端部がそれぞれ取り付けられる（図１９のステップＳ５）。
【００７３】
「スクリーン側縁下方端部の取り付け」
まず、図１６に示すように、スクリーン側縁上方端部の取付高さ位置からバトン１００を所定の高さ位置に上昇させ、この上昇位置で両上方トラス７０Ａ，７０Ａの下方端部にボルト・ナット（図示せず）によって左右各組のスクリーン側縁取付部材７０のうち下方トラス７０Ｂ，７０Ｂをそれぞれ連結する（図１９のステップＳ６）。
次いで、左右の下方トラス７０Ｂ，７０Ｂの係止凸部７０ｂ，７０ｂ，７０ｂ，・・・にスクリーン取付用紐ｓのうちスクリーン側縁上方端部のスクリーン取付用紐ｓ3を係止する。この場合、スクリーン取付用紐ｓ3が係止されると、両下方トラス７０Ｂ，７０Ｂに対して上方のスクリーン側縁下方端部がそれぞれ取り付けられる（図１９のステップＳ７）。
【００７４】
そして、スクリーン側縁下方端部の取付工程をスクリーン側縁長（スクリーン側縁下方端部の寸法）に応じて繰り返し実行する（図１９のステップＳ８）。この場合、スクリーン側縁下方端部の取り付けが終了すると、次工程（図１９のステップＳ９）に進む（図１９のステップＳ８のＹＥＳ）。一方、スクリーン側縁下方端部の取り付けが終了しない場合には、前工程（図１９のステップＳ７）に戻る（図１９のステップＳ８のＮＯ）。
【００７５】
「スクリーン下方端縁の取り付け」
まず、図１７に示すように、バトン１００をスクリーン側縁下方端部の取付高さ位置から所定の高さ位置に上昇させ、この上昇位置でスクリーン取付用紐ｓのうちスクリーン下方端縁のスクリーン取付用紐ｓ4に連結部材１２０を介してスクリーンウエイト８０を懸吊する。
次に、スクリーンウエイト８０の両側部を下方トラス７０Ｂ，７０Ｂにそれぞれ図示しない紐によって緊縛する。この場合、スクリーンウエイト８０が緊縛されると、スクリーン下方端縁の取り付け工程が終了する（図１９のステップＳ９）。
【００７６】
「下方カーテンの取り付け」
まず、図１８に示すように、リンク機構９０Ａ，９０Ａ，９０Ａ，・・・を連結してスクリーンＳの前方にリンク機構９０を組み立て配置する。この場合、リンク機構９０の組み立ては、リンク機構９０Ａ，９０Ａ，９０Ａ，・・・のうち略中央部付近のリンク機構を駆動して下方カーテン１１０Ｄの高さ保持位置を調整した後に行われる。
次に、リンク機構９０の連結リンク９３上に下方カーテン１１０Ｄを保持する（図１９のステップＳ１０）。
このようにして、天井Ｔと床Ｅとの間にスクリーンＳを確実に設置することができる。
【００７７】
したがって、本実施形態においては、スクリーン側縁取付部材７０に対するスクリーンＳの取り付けが、各スクリーン側縁取付部材７０を所定の部位に連結し、これら各スクリーン側縁取付部材７０を連結する毎にスクリーンＳの側縁一部を取り付けることにより行われる。
これにより、スクリーン設置時にスクリーン側縁に沿ってスクリーン側縁取付部材７０を連結することができるため、スクリーン取付後のスクリーン側縁取付部材の吊り上げ作業が不要になり、スクリーン設置時間を短縮することができるとともに、スクリーン設置時の安全性を確保することができる。
また、本実施形態においては、スクリーン側縁取付部材７０を上下に連結することができるため、水平面内で広い設置スペースを必要とせず、設置スペースの縮小化を図ることもできる。
【００７８】
なお、実施形態においては、複数の仕切部材がスクリーン収納具内に配設された収納装置を例にとって説明したが、本発明はこれに限定されず、これらの仕切部材を備えない収納装置並びにこの収納装置を用いた収納方法及び運搬方法とすることもできる。
【００７９】
また、実施形態においては、収納，運搬及び設置対象が大型スクリーンである場合について説明したが、本発明はこれに限定されず、大型スクリーンのサイズ（縦横寸法及び厚さ寸法）と同等サイズのシート状部材を収納及び運搬対象とすることもできる。これにより、大型スクリーンの収納装置，収納方法及び運搬方法の効果と同等の効果をもつシート状部材の収納装置，収納方法及び運搬方法を提供することができる。
【図面の簡単な説明】
【００８０】
【図１】大型スクリーンの収納装置のスクリーン収納状態を示す斜視図。
【図２】図1の要部を示す斜視図。
【図３】大型スクリーンの収納装置の収納物組立体を示す斜視図。
【図４】図３の要部を示す斜視図。
【図５】大型スクリーンの収納装置のスクリーン収納具を示す側面図。
【図６】スクリーン収納具の棚部材を示す斜視図。
【図７】スクリーン載置工程を説明する斜視図。
【図８】収納物組立体の形成工程を説明する図。
【図９】スクリーンの保持工程を説明する斜視図。
【図１０】大型スクリーンの収納方法を説明するフローチャート。
【図１１】大型スクリーンの設置装置の使用状態を示す正面図。
【図１２】上方カーテンの取付工程を説明する正面図。
【図１３】左右側方カーテンの取付工程を説明する正面図。
【図１４】スクリーン上方端縁の取付工程を説明する正面図。
【図１５】スクリーン側縁上方端部の取付工程を説明する正面図。
【図１６】スクリーン側縁下方端部の取付工程を説明する正面図。
【図１７】スクリーン下方端縁の取付工程を説明する正面図。
【図１８】下方カーテンの取付工程を説明する正面図。
【図１９】大型スクリーンの設置方法を説明するフローチャート。
【図２０】従来の大型スクリーンの収納装置を示す斜視図。
【符号の説明】
【００８１】
１０…大型スクリーンの収納装置、２０…収納箱、２１…筐体、２１Ａ…内部空間、２２…蓋体、２３…車輪、３０…スクリーン収納具、３１…収納具エレメント、３１Ａ…棚部材、３１Ａ1，３１Ａ2…角棒、３１Ａ3…載置板、３１ａ…スクリーン載置面、３１Ｂ…棚部材、３２，３３…ヒンジ、３４…切り欠き、３５…凹部、３６…緩衝部材、３７…ローラ、３８…ブラケット、４０…仕切部材、４１…収納具組立用紐、４２…収納物組立体、Ｓ…スクリーン、ｓ…スクリーン取付用紐
【図１】
2005055820.tif 000003
【図２】
2005055820.tif 000004
【図３】
2005055820.tif 000005
【図４】
2005055820.tif 000006
【図５】
2005055820.tif 000007
【図６】
2005055820.tif 000008
【図７】
2005055820.tif 000009
【図８】
2005055820.tif 000010
【図９】
2005055820.tif 000011
【図１０】
2005055820.tif 000012
【図１１】
2005055820.tif 000013
【図１２】
2005055820.tif 000014
【図１３】
2005055820.tif 000015
【図１４】
2005055820.tif 000016
【図１５】
2005055820.tif 000017
【図１６】
2005055820.tif 000018
【図１７】
2005055820.tif 000019
【図１８】
2005055820.tif 000020
【図１９】
2005055820.tif 000021
【図２０】
2005055820.tif 000022